(57)【要約】構造の簡素化及び良好な収納性を確保して携帯性の向上を図る。  頭部に装着されるヘッドバンドと、ヘッドバンドに着脱可能にされた一対のスピーカーユニットとを備え、ヘッドバンドには吸着部が形成され、スピーカーユニットには吸着部にマグネットによる磁力によって吸着される被吸着部が形成され、吸着部と被吸着部において一方が他方より長い形状に形成された。これにより構造の簡素化及び良好な収納性を確保して携帯性の向上を図ることができる。
2013175694.tif 000002
【特許請求の範囲】
【請求項１】
頭部に装着されるヘッドバンドと、
前記ヘッドバンドに着脱可能にされた一対のスピーカーユニットとを備え、
前記ヘッドバンドには吸着部が形成され、
前記スピーカーユニットには前記吸着部にマグネットによる磁力によって吸着される被吸着部が形成され、
前記吸着部と前記被吸着部において一方が他方より長い形状に形成された
ヘッドホーン装置。
【請求項２】
前記吸着部が前記被吸着部より長い形状に形成され、
前記吸着部が前記ヘッドバンドの長手方向に延びる状態で形成された
請求項１に記載のヘッドホーン装置。
【請求項３】
前記吸着部または前記被吸着部の一方が凸状に形成され他方が凹状に形成された
請求項１に記載のヘッドホーン装置。
【請求項４】
前記被吸着部が凸状に形成され、
前記吸着部が凹状に形成された
請求項３に記載のヘッドホーン装置。
【請求項５】
前記マグネットが球状に形成され、
前記マグネットにおいて最大の磁力を発生する位置が中心以外の部分にされた
請求項１に記載のヘッドホーン装置。
【請求項６】
前記マグネットが前記被吸着部に取り付けられた
請求項１に記載のヘッドホーン装置。
【請求項７】
前記吸着部又は前記被吸着部の一方に位置決め凸部が設けられ、
前記吸着部又は前記被吸着部の他方に前記位置決め凸部が挿入される位置決め凹部が形成された
請求項１に記載のヘッドホーン装置。
【請求項８】
前記位置決め凹部が長い形状にされた前記吸着部又は前記被吸着部に形成され長手方向に並んで複数形成された
請求項７に記載のヘッドホーン装置。
【請求項９】
前記位置決め凸部が複数設けられ、
前記複数の位置決め凸部が前記位置決め凹部に挿入されるようにした
請求項７に記載のヘッドホーン装置。
【請求項１０】
前記吸着部又は前記被吸着部の一方における前記位置決め凸部以外の部分に被吸着面部が形成され、
前記吸着部又は前記被吸着部の他方における前記位置決め凹部以外の部分に前記被吸着面部が接触される吸着面部が形成された
請求項７に記載のヘッドホーン装置。
【発明の詳細な説明】
【技術分野】
【０００１】
本技術はヘッドホーン装置についての技術分野に関する。詳しくは、ヘッドバンドに対してマグネットの磁力によってスピーカーユニットを着脱可能として、構造の簡素化及び良好な収納性を確保して携帯性の向上を図る技術分野に関する。
【背景技術】
【０００２】
ヘッドバンドとヘッドバンドの両端部にそれぞれ結合された一対のスピーカーユニットとを備えたヘッドホーン装置がある。【０００３】
このようなヘッドホーン装置には、顔に対する耳の位置や顔の大きさ等に合わせてスピーカーユニットのヘッドバンドに対する位置を調整できるタイプがある（例えば、特許文献１参照）。【０００４】
特許文献１に記載されたヘッドホーン装置においては、ヘッドバンドに伸縮機構が備えられ、ヘッドバンドを伸縮することにより使用者の耳に適した位置にスピーカーユニットを移動させることができるようにされている。【０００５】
伸縮機構は複数のローラーやヘッドバンドを覆うカバーや伸縮されたときの位置を保持するストッパー等によって構成されている。
【先行技術文献】
【特許文献】
【０００６】
【特許文献１】特開平１０−２７１５９１号公報
【発明の開示】
【発明が解決しようとする課題】
【０００７】
ところが、特許文献１に記載されたヘッドホーン装置にあっては、ヘッドバンドに備えられた伸縮機構が上記のように多くの部品によって構成されており、部品点数が多く構造が複雑であるという問題がある。【０００８】
また、ヘッドバンドにスピーカーユニットが結合されているため、鞄などに入れた際に嵩張ってしまい、収納性が悪く、携帯性に不適なものとなっている。【０００９】
そこで、本技術ヘッドホーン装置は、構造の簡素化及び良好な収納性を確保して携帯性の向上を図ることを課題とする。
【課題を解決するための手段】
【００１０】
第１に、ヘッドホーン装置は、頭部に装着されるヘッドバンドと、前記ヘッドバンドに着脱可能にされた一対のスピーカーユニットとを備え、前記ヘッドバンドには吸着部が形成され、前記スピーカーユニットには前記吸着部にマグネットによる磁力によって吸着される被吸着部が形成され、前記吸着部と前記被吸着部において一方が他方より長い形状に形成されたものである。【００１１】
従って、ヘッドホーン装置にあっては、吸着部にマグネットによる磁力によって被吸着部が吸着され、非使用時にはヘッドバンドからスピーカーユニットを取り外すことが可能である。【００１２】
第２に、上記したヘッドホーン装置においては、前記吸着部が前記被吸着部より長い形状に形成され前記吸着部が前記ヘッドバンドの長手方向に延びる状態で形成されていることが望ましい。【００１３】
吸着部が被吸着部より長い形状に形成され、吸着部がヘッドバンドの長手方向に延びる状態で形成されていることにより、ヘッドバンドの長手方向と吸着部の長手方向が一致される。【００１４】
第３に、上記したヘッドホーン装置においては、前記吸着部または前記被吸着部の一方が凸状に形成され、他方が凹状に形成されていることが望ましい。【００１５】
吸着部または被吸着部の一方が凸状に形成され、他方が凹状に形成されていることにより、凸状に形成された吸着部または被吸着部が凹状に形成された吸着部または被吸着部に挿入されて吸着部と被吸着部が結合される。【００１６】
第４に、上記したヘッドホーン装置においては、前記被吸着部が凸状に形成され、前記吸着部が凹状に形成されていることが望ましい。【００１７】
被吸着部が凸状に形成され、吸着部が凹状に形成されていることにより、凸状に形成された被吸着部が凹状に形成された吸着部に挿入されて吸着部と被吸着部が結合される。【００１８】
第５に、上記したヘッドホーン装置においては、前記マグネットが球状に形成され、前記マグネットにおいて最大の磁力を発生する位置が中心以外の部分にされていることが望ましい。【００１９】
マグネットが球状に形成され、マグネットにおいて最大の磁力を発生する位置が中心以外の部分にされていることにより、マグネットの回転位置に応じてヘッドバンドに対するスピーカーユニットの向きが変化される。【００２０】
第６に、上記したヘッドホーン装置においては、前記マグネットが前記被吸着部に取り付けられていることが望ましい。【００２１】
マグネットが被吸着部に取り付けられていることにより、マグネットが凸状に形成された被吸着部に取り付けられる。【００２２】
第７に、上記したヘッドホーン装置においては、前記吸着部又は前記被吸着部の一方に位置決め凸部が設けられ、前記吸着部又は前記被吸着部の他方に前記位置決め凸部が挿入される位置決め凹部が形成されていることが望ましい。【００２３】
吸着部又は被吸着部の一方に位置決め凸部が設けられ、吸着部又は被吸着部の他方に位置決め凸部が挿入される位置決め凹部が形成されていることにより、位置決め凸部が位置決め凹部に挿入されて被吸着部が吸着部に吸着される。【００２４】
第８に、上記したヘッドホーン装置においては、位置決め凹部が長い形状にされた吸着部又は被吸着部に形成され長手方向に並んで複数形成されていることが望ましい。【００２５】
位置決め凹部が長い形状にされた吸着部又は被吸着部に形成され長手方向に並んで複数形成されていることにより、長手方向に並ぶ何れかの位置決め凹部に位置決め凸部が挿入されて被吸着部が吸着部に吸着される。【００２６】
第９に、上記したヘッドホーン装置においては、位置決め凸部が複数設けられ、複数の位置決め凸部が位置決め凹部に挿入されていることが望ましい。【００２７】
位置決め凸部が複数設けられ、複数の位置決め凸部が位置決め凹部に挿入されていることにより、スピーカーユニットがヘッドバンドに対して回転しない。【００２８】
第１０に、上記したヘッドホーン装置においては、前記吸着部又は前記被吸着部の一方における前記位置決め凸部以外の部分に被吸着面部が形成され、前記吸着部又は前記被吸着部の他方における前記位置決め凹部以外の部分に前記被吸着面部が接触される吸着面部が形成されていることが望ましい。【００２９】
吸着部又は被吸着部の一方における位置決め凸部以外の部分に被吸着面部が形成され、吸着部又は被吸着部の他方における位置決め凹部以外の部分に被吸着面部が接触される吸着面部が形成されていることにより、吸着面部に被吸着面部が面接触された状態で吸着される。
【発明の効果】
【００３０】
本技術ヘッドホーン装置は、頭部に装着されるヘッドバンドと、前記ヘッドバンドに着脱可能にされた一対のスピーカーユニットとを備え、前記ヘッドバンドには吸着部が形成され、前記スピーカーユニットには前記吸着部にマグネットによる磁力によって吸着される被吸着部が形成され、前記吸着部と前記被吸着部において一方が他方より長い形状に形成されるようにしている。【００３１】
従って、構造の簡素化及び良好な収納性を確保して携帯性の向上を図ることができる。【００３２】
請求項２に記載した技術にあっては、前記吸着部が前記被吸着部より長い形状に形成され、前記吸着部が前記ヘッドバンドの長手方向に延びる状態で形成されている。【００３３】
従って、予め長い形状に形成されたヘッドバンドの長手方向と吸着部の長手方向を一致させることにより、ヘッドホーン装置を大型化することなく吸着部を形成することができる。【００３４】
請求項３に記載した技術にあっては、前記吸着部または前記被吸着部の一方が凸状に形成され他方が凹状に形成されている。【００３５】
従って、吸着部と被吸着部が結合された状態において薄型化が確保されると共に、ヘッドバンドとスピーカーユニットの安定した結合状態を確保することができる。【００３６】
請求項４に記載した技術にあっては、前記被吸着部が凸状に形成され、前記吸着部が凹状に形成されている。【００３７】
従って、ヘッドバンドの薄型化を確保することができる。【００３８】
請求項５に記載した技術にあっては、前記マグネットが球状に形成され、前記マグネットにおいて最大の磁力を発生する位置が中心以外の部分にされている。【００３９】
従って、使用者の頭部の形状及び大きさや使用者の頭部に対する耳の位置に合わせてスピーカーユニットの微調整が可能となり、使い勝手の更なる向上を図ることができる。【００４０】
請求項６に記載した技術にあっては、前記マグネットが前記被吸着部に取り付けられている。【００４１】
従って、マグネットの十分な配置スペースを確保することができると共にヘッドバンドの薄型化を図ることができる。【００４２】
請求項７に記載した技術にあっては、前記吸着部又は前記被吸着部の一方に位置決め凸部が設けられ、前記吸着部又は前記被吸着部の他方に前記位置決め凸部が挿入される位置決め凹部が形成されている。【００４３】
従って、スピーカーユニットのヘッドバンドに対する安定した位置決め状態及び結合状態を確保することができる。【００４４】
請求項８に記載した技術にあっては、前記位置決め凹部が長い形状にされた前記吸着部又は前記被吸着部に形成され長手方向に並んで複数形成されている。【００４５】
従って、被吸着部を吸着部に対して長手方向において位置決めした状態で位置調整することができ、ヘッドホーン装置の使い勝手の向上を図ることができる。【００４６】
請求項９に記載した技術にあっては、前記位置決め凸部が複数設けられ、前記複数の位置決め凸部が前記位置決め凹部に挿入されている。【００４７】
従って、スピーカーユニットがヘッドバンドに対して回転しないため、両者の結合状態及び位置決め状態の安定化を図ることができる。【００４８】
請求項１０に記載した技術にあっては、前記吸着部又は前記被吸着部の一方における前記位置決め凸部以外の部分に被吸着面部が形成され、前記吸着部又は前記被吸着部の他方における前記位置決め凹部以外の部分に前記被吸着面部が接触される吸着面部が形成されている。【００４９】
従って、吸着部の被吸着部に対する吸着力が大きくなり、両者の結合状態及び位置決め状態の安定化を図ることができる。
【図面の簡単な説明】
【００５０】
【図１】図２〜図１６と共に本技術ヘッドホーン装置を示すものであり、本図は、ヘッドホーン装置の斜視図である。
【図２】ヘッドバンドとスピーカーユニットを分離して示す斜視図である。
【図３】図２とは異なる方向から見た状態でヘッドバンドとスピーカーユニットを分離して示す斜視図である。
【図４】スピーカーユニットの拡大断面図である。
【図５】吸着部に被吸着部が正対して吸着されている状態を示す断面図である。
【図６】スピーカーユニットが斜め上方を向いて吸着されている状態を示す断面図である。
【図７】スピーカーユニットが斜め下方を向いて吸着されている状態を示す断面図である。
【図８】図９〜図１４と共に第１の変形例を示すものであり、本図は、ヘッドバンドとスピーカーユニットを分離して示す斜視図である。
【図９】図８とは異なる方向から見た状態でヘッドバンドとスピーカーユニットを分離して示す斜視図である。
【図１０】吸着部の拡大斜視図である。
【図１１】被吸着部の拡大斜視図である。
【図１２】被吸着部が吸着部の端部に吸着された状態を示す側面図である。
【図１３】被吸着部が吸着部の中間部に吸着された状態を示す側面図である。
【図１４】図１５と共に第２の変形例を示すものであり、本図は、吸着部の拡大平面図である。
【図１５】被吸着部が吸着部に吸着された状態を示す拡大断面図である。
【図１６】スピーカーユニットの別の例を示す斜視図である。
【発明を実施するための最良の形態】
【００５１】
以下に、本技術を実施するための最良の形態を添付図面に従って説明する。【００５２】
［ヘッドホーン装置の構成］
ヘッドホーン装置１はヘッドバンド２とヘッドバンド２にそれぞれ着脱可能とされた一対のスピーカーユニット３、３とによって構成されている（図１参照）。【００５３】
ヘッドバンド２は使用者の頭部に装着され、略Ｕ字状の厚みの薄い形状に形成されている。ヘッドバンド２は厚み方向に屈曲されるように弾性変形可能とされ、厚み方向における一方の面が頭部に接するように装着される。ヘッドバンド２には長手方向における両端部の内面にそれぞれ凹状の吸着部４、４が設けられている（図２及び図３参照）。【００５４】
吸着部４はヘッドバンド２の長手方向に延びる状態で形成されている。吸着部４は、例えば、鉄などの磁性体によって形成され、長手方向における両側の端部４ａ、４ａがそれぞれ球面状に形成されている。また、吸着部４の端部４ａ、４ａを除く部分は中間部４ｂとして形成され、中間部４ｂは幅方向（短手方向）において円弧状に形成されている。【００５５】
スピーカーユニット３は外筐５と被吸着部６と取付部７とマグネット８を有している（図２〜図４参照）。【００５６】
外筐５はカバー部９と耳当て部１０が結合されて成る。【００５７】
カバー部９はベース部１１とベース部１１に貼り付けられた保護シート１２とから成り、保護シート１２がベース部１１の表面から裏面側の外周部に回り込むように貼り付けられている（図４参照）。カバー部９の中心部には円形の挿通孔９ａが形成されている。ベース部１１は、例えば、樹脂などのプラスチック材料によって形成され、保護シート１２は、例えば、高分子繊維などの柔らかい材料によって形成されている。【００５８】
耳当て部１０はケース部１３とケース部１３に貼り付けられた耳当てシート１４とから成り、耳当てシート１４はケース部１３の表面から裏面側の外周部に回り込むように貼り付けられている。ケース部１３の中央部には凹部１３ａが形成されている。ケース部１３はカバー部９側に開口された浅い皿状の結合部１５と結合部１５の中央部からカバー部９側へ突出された隆起部１６とを有し、隆起部１６の先端部にはネジ穴１６ａが形成されている。ケース部１３は、例えば、樹脂などのプラスチック材料によって形成され、耳当てシート１４は、例えば、高分子繊維などの柔らかい材料によって形成されている。【００５９】
隆起部１６のネジ穴１６ａには略円柱状のネジ１７が螺合されて固定される。【００６０】
被吸着部６は半球状に形成された球保持部６ａと球保持部６ａの外周部から外方へ張り出されたフランジ部６ｂとから成る。被吸着部６は、例えば、鉄などの磁性体によって形成されている。被吸着部６は球保持部６ａがカバー部９の挿通孔９ａを挿通されてベース部１１にフランジ部６ｂが取り付けられている。被吸着部６は球保持部６ａがカバー部９から外方へ突出される。【００６１】
取付部７は円環状に形成され、中央部にネジ孔７ａを有している。取付部７はベース部１１の内面の中央部に取り付けられている。【００６２】
マグネット８は吸着部４の曲率と略同じ曲率にされた球状に形成され、一部を除いて被吸着部６の内部に挿入され、一部がネジ孔７ａに挿入される。マグネット８は最大の磁力を発生する位置が、例えば、中心にされている。マグネット８による磁力は被吸着部６に作用する。【００６３】
上記のように構成された状態において、隆起部１６に固定されたネジ１７が取付部７のネジ孔７ａにマグネット８の反対側から螺合され、耳当て部１０の外周部がカバー部９の外周部に結合される。【００６４】
スピーカーユニット３、３にはコード１９が接続されている（図１〜図３参照）。外筐５の内部には図示しない音声出力装置が組み込まれている。音声出力装置にはコード１９を介して音源から音声信号が入力される。【００６５】
［ヘッドバンドとスピーカーユニットの着脱動作］
上記したように、スピーカーユニット３、３はヘッドバンド２に対して着脱可能とされている。【００６６】
スピーカーユニット３のヘッドバンド２への取付は、スピーカーユニット３の被吸着部６がヘッドバンド２の吸着部４に挿入されることにより行われる（図５参照）。このときマグネット８の磁力が作用している被吸着部６が吸着部４に吸着されて両者が結合される。被吸着部６は凸状に形成され吸着部４は凹状に形成されているため、両者が結合された状態において薄型化が確保されると共に、ヘッドバンド２とスピーカーユニット３の安定した結合状態を確保することができる。【００６７】
尚、上記には、被吸着部６が凸状に形成され吸着部４が凹状に形成された場合を示したが、逆に、被吸着部が凹状に形成され吸着部が凸状に形成されていてもよい。この場合においても、ヘッドバンド２とスピーカーユニット３の安定した結合状態を確保することができる。但し、ヘッドバンド２に凹状の吸着部４が形成されスピーカーユニット３に凸状の被吸着部６が形成されることにより、ヘッドバンド２の薄型化を確保することができる。【００６８】
また、被吸着部が凹状に形成され吸着部が凸状に形成された場合には、被吸着部が吸着部より長い形状にされている必要がある。但し、ヘッドバンド２に形成された吸着部４がスピーカーユニット３に形成された被吸着部６より長い形状に形成されていることが望ましい。この場合には予め長い形状に形成されたヘッドバンド２の長手方向と吸着部４の長手方向を一致させることにより、ヘッドホーン装置１を大型化することなく吸着部４を形成することができる。【００６９】
また、被吸着部６の球保持部６ａの外面と吸着部４の内面は共に略同じ曲率の球面状又は円弧状に形成されているため、両者が結合された状態において接触面積が大きく、一層安定した結合状態を確保することができる。【００７０】
上記のようにスピーカーユニット３がヘッドバンド２に取り付けられた状態においては、スピーカーユニット３が吸着部４に沿って移動可能とされている。従って、使用者の頭部の形状及び大きさや使用者の頭部に対する耳の位置に合わせてスピーカーユニット３、３のヘッドバンド２に対する位置を調節することができ、ヘッドホーン装置１の使い勝手の向上を図ることができる。【００７１】
また、マグネット８においては、最大の磁力を発生する位置を中心以外の部分にすることが可能である。マグネット８において最大の磁力を発生する位置が中心以外の部分にされた場合には、被吸着部６が吸着部４に吸着された状態においてスピーカーユニット３がヘッドバンド２に対して正対されず角度が付けられた状態で吸着される（図６及び７参照）。例えば、最大の磁力を発生する部分がマグネット８の中心より上方に位置された状態で被吸着部６が吸着部４に吸着された場合には、スピーカーユニット３はヘッドバンド２に対して斜め上方を向いた状態で取り付けられる。逆に、最大の磁力を発生する部分がマグネット８の中心より下方に位置された状態で被吸着部６が吸着部４に吸着された場合には、スピーカーユニット３はヘッドバンド２に対して斜め下方を向いた状態で取り付けられる。このようにマグネット８において最大の磁力を発生する位置が中心以外の部分にされている場合には、スピーカーユニット３を被吸着部６を中心としてヘッドバンド２に対して回転させることによりスピーカーユニット３をヘッドバンド２に対して任意の向きで結合することが可能である。【００７２】
従って、上記のようにスピーカーユニット３が吸着部４の長手方向における任意の位置に取付可能とされていることに加え、スピーカーユニット３を回転させてヘッドバンド２に所望の向きで取り付けることができ、使用者の頭部の形状及び大きさや使用者の頭部に対する耳の位置に合わせてスピーカーユニット３の微調整が可能となり、使い勝手の更なる向上を図ることができる。【００７３】
［第１の変形例及び第２の変形例］
以下に、吸着部と被吸着部の第１の変形例及び第２の変形例について説明する（図８〜図１４参照）。【００７４】
尚、以下に示す第１の変形例及び第２の変形例に係る吸着部と被吸着部は、上記した吸着部４及び被吸着部６と比較して、位置決め凹部又は位置決め凸部が形成されていることのみが相違するため、吸着部４及び被吸着部６と比較して異なる部分についてのみ詳細に説明をし、その他の部分については吸着部４及び被吸着部６における同様の部分に付した符号と同じ符号を付して説明は省略する。【００７５】
＜第１の変形例＞
先ず、第１の変形例について説明する（図８〜図１２参照）
ヘッドバンド２Ａには第１の変形例に係る吸着部４Ａ、４Ａが設けられている（図８及び図９参照）。ヘッドバンド２Ａは吸着部４Ａ、４Ａ以外の構成がヘッドバンド２と同じである。【００７６】
吸着部４Ａの端部４ａ、４ａには、半径方向に延びる複数の第１の位置決め凹部２１、２１、・・・が周方向に離隔して形成されている（図１０参照）。また、吸着部４Ａの中間部４ｂには、幅方向（短手方向）に延びる複数の第２の位置決め凹部２２、２２、・・・が長手方向に並んで形成されている。【００７７】
スピーカーユニット３Ａには第１の変形例に係る被吸着部６Ａが設けられている（図８及び図９参照）。スピーカーユニット３Ａは被吸着部６Ａ以外の構成がスピーカーユニット３と同じである。【００７８】
被吸着部６Ａの球保持部６ａには第１の位置決め凸部２５と第２の位置決め凸部２６、２６、・・・が設けられている（図１１参照）。第１の位置決め凸部２５は球保持部６ａの頂部に設けられ、第２の位置決め凸部２６、２６、・・・は頂部を中心とした第１の位置決め凸部２５の周囲に周方向に離隔して設けられている。【００７９】
上記のように構成されたヘッドバンド２Ａとスピーカーユニット３Ａにおいて、被吸着部６Ａが吸着部４Ａの端部４ａに結合された場合には、第２の位置決め凹部２２に第１の位置決め凸部２５が挿入されると共に、第１の位置決め凹部２１、２１、・・・にそれぞれ第２の位置決め凸部２６、２６、・・・が挿入される（図１２参照）。一方、被吸着部６Ａが吸着部４Ａの中間部４ｂに結合された場合には、第２の位置決め凹部２２に第１の位置決め凸部２５及び第２の位置決め凸部２６、２６が挿入される。【００８０】
このように、被吸着部６Ａが吸着部４Ａの端部４ａに結合された場合には、第１の位置決め凸部２５と複数の第２の位置決め凸部２６、２６、・・・が第２の位置決め凹部２２と複数の第１の位置決め凹部２１、２１、・・・にそれぞれ挿入されて吸着される（図１２参照）。また、被吸着部６Ａが吸着部４Ａの中間部４ｂに結合された場合には、第１の位置決め凸部２５と複数の第２の位置決め凸部２６、２６が第２の位置決め凹部２２にそれぞれ挿入されて吸着される（図１３参照）。従って、スピーカーユニット３Ａのヘッドバンド２Ａに対する安定した位置決め状態及び結合状態を確保することができる。【００８１】
また、吸着部４Ａには第２の位置決め凹部２２、２２、・・・が長手方向において複数形成されているため、被吸着部６Ａを吸着部４Ａに対して長手方向において位置決めした状態で位置調整することができ、ヘッドホーン装置１の使い勝手の向上を図ることができる。【００８２】
さらに、被吸着部６Ａに第１の位置決め凸部２５及び第２の位置決め凸部２６、２６、・・・が設けられ、吸着部４Ａに第１の位置決め凹部２１、２１、・・・と第２の位置決め凹部２２、２２、・・・が形成されることにより、第１の位置決め凸部２５及び第２の位置決め凸部２６、２６、・・・が第１の位置決め凹部２１、２１、・・・及び第２の位置決め凹部２２、２２、・・・に挿入されて吸着部４Ａに被吸着部６Ａが結合される。【００８３】
従って、スピーカーユニット３Ａが吸着部４Ａに対して回転しないため、両者の結合状態及び位置決め状態の安定化を図ることができる。【００８４】
＜第２の変形例＞
次に、第２の変形例について説明する（図１４及び図１５参照）。【００８５】
第２の変形例に係る吸着部４Ｂの端部４ａ、４ａにおける外周部にはそれぞれ第１の位置決め凹部２１Ｂ、２１Ｂ、・・・が周方向に離隔して形成されている（図１４参照）。また、吸着部４Ｂの中間部４ｂには、幅方向（短手方向）における両端部に第２の位置決め凹部２２Ｂ、２２Ｂ、・・・が長手方向に並んで形成されている。さらに、吸着部４Ｂの中間部４ｂには、幅方向における中心部に長手方向に延びる第３の位置決め凹部２３が形成されている。吸着部４Ｂの端部４ａ、４ａ及び中間部４ｂにおける第１の位置決め凹部２１Ｂ、第２の位置決め凹部２２Ｂ及び第３の位置決め凹部２３が形成された以外の部分は吸着面部２４として形成されている。【００８６】
第２の変形例に係る被吸着部６Ｂは形状が被吸着部６Ａと同じにされている。被吸着部６の球保持部６ａにおける第１の位置決め凸部２５及び第２の位置決め凸部２６以外の部分は被吸着面部２７として形成されている。【００８７】
被吸着部６Ｂが吸着部４Ｂの端部４ａに結合された場合には、第１の位置決め凹部２１Ｂ、２１Ｂ、・・・にそれぞれ第２の位置決め凸部２６、２６、・・・が挿入される。同時に、長手方向における一端部に位置された第２の位置決め凹部２２Ｂ、２２Ｂにそれぞれ第２の位置決め凸部２６、２６が挿入され、第３の位置決め凹部２３の一端部に第１の位置決め凸部２５が挿入される。このとき、吸着面部２４に被吸着面部２７が面接触された状態で吸着される（図１５参照）。【００８８】
一方、被吸着部６Ｂが吸着部４Ｂの中間部４ｂに結合された場合には、第１の位置決め凸部２５が第３の位置決め凹部２３に挿入され、第２の位置決め凸部２６、２６がそれぞれ第２の位置決め凹部２２、２２に挿入される。このとき、吸着面部２４に被吸着面部２７が面接触された状態で吸着される。【００８９】
このように吸着部４Ｂと被吸着部６Ｂにおいては、吸着面部２４に被吸着面部２７が面接触された状態で吸着されるため、吸着部４Ｂの被吸着部６Ｂに対する吸着力が大きくなり、両者の結合状態及び位置決め状態の安定化を図ることができる。【００９０】
［その他］
上記には、マグネット８を被吸着部６、６Ａ、６Ｂ側に配置した例を示したが、逆に、吸着部４、４Ａ、４Ｂ側にマグネットを配置してもよい。【００９１】
吸着部４、４Ａ、４Ｂ側にマグネットを配置する場合には、ヘッドバンド２の厚みに合わせて薄型のマグネットを配置することが望ましい。また、被吸着部６、６Ａ、６Ｂ側と吸着部４、４Ａ、４Ｂ側の双方にマグネットを配置することも可能である。【００９２】
尚、マグネット８を被吸着部６、６Ａ、６Ｂ側に配置することにより、被吸着部６、６Ａ、６Ｂが凸状にされているため、マグネット８の十分な配置スペースを確保することができると共にヘッドバンド２の薄型化を図ることができる。【００９３】
また、上記には、位置決め凹部２１、２２、２１Ｂ、２２Ｂを吸着部４、４Ａに形成し、位置決め凸部２５、２６を被吸着部６Ａ、６Ｂに設けた例を示したが、逆に、吸着部に位置決め凸部を設け被吸着部に位置決め凹部を形成し、両者によって位置決めをしてもよい。【００９４】
さらに、上記には、耳が内部に収納されないいわゆるオープンタイプのスピーカーユニット３、３Ａを例として示したが、スピーカーユニットは耳に覆い被さるいわゆるクローズドタイプを使用することも可能である（図１６参照）。【００９５】
［まとめ］
以上に記載したように、ヘッドホーン装置１にあっては、吸着部４、４Ａ、４Ｂにマグネット８による磁力によって被吸着部６、６Ａ、６Ｂが吸着されるため構造が簡素であり、非使用時にはヘッドバンド２からスピーカーユニット３、３Ａを取り外して両者を別々に鞄などに収納することが可能である。【００９６】
従って、構造の簡素化及び良好な収納性を確保して携帯性の向上を図ることができる。【００９７】
［本技術］
本技術は、以下のような構成にすることができる。【００９８】
（１）頭部に装着されるヘッドバンドと、前記ヘッドバンドに着脱可能にされた一対のスピーカーユニットとを備え、前記ヘッドバンドには吸着部が形成され、前記スピーカーユニットには前記吸着部にマグネットによる磁力によって吸着される被吸着部が形成され、前記吸着部と被吸着部において一方が他方より長い形状に形成されたヘッドホーン装置。【００９９】
（２）前記吸着部が前記被吸着部より長い形状に形成され、前記吸着部が前記ヘッドバンドの長手方向に延びる状態で形成された前記（１）に記載のヘッドホーン装置。【０１００】
（３）前記吸着部または前記被吸着部の一方が凸状に形成され他方が凹状に形成された前記（１）又は前記（２）に記載のヘッドホーン装置。【０１０１】
（４）前記被吸着部が凸状に形成され、前記吸着部が凹状に形成された前記（３）に記載のヘッドホーン装置。【０１０２】
（５）前記マグネットが球状に形成され、前記マグネットにおいて最大の磁力を発生する位置が中心以外の部分にされた前記（１）から前記（４）の何れかに記載のヘッドホーン装置。【０１０３】
（６）前記マグネットが前記被吸着部に取り付けられた前記（１）から前記（５）の何れかに記載のヘッドホーン装置。【０１０４】
（７）前記吸着部又は前記被吸着部の一方に位置決め凸部が設けられ、前記吸着部又は前記被吸着部の他方に前記位置決め凸部が挿入される位置決め凹部が形成された前記（１）から前記（６）の何れかに記載のヘッドホーン装置。【０１０５】
（８）前記位置決め凹部が長い形状にされた前記吸着部又は前記被吸着部に形成され長手方向に並んで複数形成された前記（７）に記載のヘッドホーン装置。【０１０６】
（９）前記位置決め凸部が複数設けられ、前記複数の位置決め凸部が前記位置決め凹部に挿入されるようにした前記（７）又は前記（８）に記載のヘッドホーン装置。【０１０７】
（１０）前記吸着部又は前記被吸着部の一方における前記位置決め凸部以外の部分に被吸着面部が形成され、前記吸着部又は前記被吸着部の他方における前記位置決め凹部以外の部分に前記被吸着面部が接触される吸着面部が形成された前記（７）から前記（９）の何れかに記載のヘッドホーン装置。
【符号の説明】
【０１０８】
１…ヘッドホーン装置、２…ヘッドバンド、３…スピーカーユニット、４…吸着部、６…被吸着部、８…マグネット、２Ａ…ヘッドバンド、３Ａ…スピーカーユニット、４Ａ…吸着部、６Ａ…被吸着部、２１…第１の位置決め凹部、２２…第２の位置決め凹部、２５…第１の位置決め凸部、２６…第２の位置決め凸部、４Ｂ…吸着部、６Ｂ…被吸着部、２１Ｂ…第１の位置決め凹部、２２Ｂ…第２の位置決め凹部、２３…第３の位置決め凹部、２４…吸着面部、２７…被吸着面部
【図１】
2013175694.tif 000003
【図２】
2013175694.tif 000004
【図３】
2013175694.tif 000005
【図４】
2013175694.tif 000006
【図５】
2013175694.tif 000007
【図６】
2013175694.tif 000008
【図７】
2013175694.tif 000009
【図８】
2013175694.tif 000010
【図９】
2013175694.tif 000011
【図１０】
2013175694.tif 000012
【図１１】
2013175694.tif 000013
【図１２】
2013175694.tif 000014
【図１３】
2013175694.tif 000015
【図１４】
2013175694.tif 000016
【図１５】
2013175694.tif 000017
【図１６】
2013175694.tif 000018
【手続補正書】
【提出日】平成27年1月16日(2015.1.16)
【手続補正１】
【補正対象書類名】特許請求の範囲
【補正対象項目名】全文
【補正方法】変更
【補正の内容】
【特許請求の範囲】
【請求項１】
頭部に装着されるヘッドバンドと、
前記ヘッドバンドに着脱可能にされた一対のスピーカーユニットとを備え、
前記ヘッドバンドには吸着部が形成され、
前記スピーカーユニットには前記吸着部にマグネットによる磁力によって吸着される被吸着部が形成され、
前記吸着部と前記被吸着部において一方が他方より長い形状に形成された
ヘッドホーン装置。
【請求項２】
前記吸着部が前記被吸着部より長い形状に形成され、
前記吸着部が前記ヘッドバンドの長手方向に延びる状態で形成された
請求項１に記載のヘッドホーン装置。
【請求項３】
前記吸着部または前記被吸着部の一方が凸状に形成され他方が凹状に形成された
請求項１又は２に記載のヘッドホーン装置。
【請求項４】
前記被吸着部が凸状に形成され、
前記吸着部が凹状に形成された
請求項３に記載のヘッドホーン装置。
【請求項５】
前記マグネットが球状に形成され、
前記マグネットにおいて最大の磁力を発生する位置が中心以外の部分にされた
請求項１から４の何れかに記載のヘッドホーン装置。
【請求項６】
前記マグネットが前記被吸着部に取り付けられた
請求項１から５の何れかに記載のヘッドホーン装置。
【請求項７】
前記吸着部又は前記被吸着部の一方に位置決め凸部が設けられ、
前記吸着部又は前記被吸着部の他方に前記位置決め凸部が挿入される位置決め凹部が形成された
請求項１から６の何れかに記載のヘッドホーン装置。
【請求項８】
前記位置決め凹部が長い形状にされた前記吸着部又は前記被吸着部に形成され長手方向に並んで複数形成された
請求項７に記載のヘッドホーン装置。
【請求項９】
前記位置決め凸部が複数設けられ、
前記複数の位置決め凸部が前記位置決め凹部に挿入されるようにした
請求項７又は８に記載のヘッドホーン装置。
【請求項１０】
前記吸着部又は前記被吸着部の一方における前記位置決め凸部以外の部分に被吸着面部が形成され、
前記吸着部又は前記被吸着部の他方における前記位置決め凹部以外の部分に前記被吸着面部が接触される吸着面部が形成された
請求項７から９の何れかに記載のヘッドホーン装置。
【国際調査報告】
2013175694.tif 000019
2013175694.tif 000020
2013175694.tif 000021
2013175694.tif 000022